【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
垂直風洞スカイダイビングシミュレータであって、
方形構造を有する循環気流プレナム（２−１０）と、
前記気流プレナムの方形構造の第１の垂直戻りダクト（１０、１５０３、１７０１、２２０２）内で、空気柱に収容される少なくとも１人の人間を浮かせることができる垂直飛行チャンバ（１０、１５０３、１７０１、２２０２）と、
一つ又は二つの方形構造の戻りダクトであって、上端戻りダクト（３０）と、第２の垂直戻りダクト（５）と、下端戻りダクト（７）とを有する前記戻りダクトと、
戻りダクト内の少なくとも一つのファンアセンブリ（３）であって、単一の戻りダクト内で横に並んで配置された複数のファン（４０、４１）を有し、前記飛行チャンバ（１０、１５０３、１７０１、２２０２）は、少なくとも一つの前記ファンアセンブリ（３）の吸入口側に配置されている、垂直風洞スカイダイビングシミュレータ。
【請求項２】
請求項１に記載のシミュレータにおいて、前記垂直飛行チャンバ（１０、１５０３、１７０１、２２０２）は拡大壁部（２０、２１、２２）を有することにより、該垂直飛行チャンバ（１０、１５０３、１７０１、２２０２）の横断面積がその底部から頂部へ向かう方向に徐々に拡大し、もって、該垂直飛行チャンバ（１０、１５０３、１７０１、２２０２）は層流気流を維持しながら、該気流の速度を低下させるように機能する、シミュレータ。
【請求項３】
請求項１又は２に記載のシミュレータにおいて、
前記上端戻りダクト（３０）の寸法は、垂直方向の方が水平方向よりも短く、
前記下端戻りダクト（７）の寸法は、垂直方向の方が水平方向よりも短い、シミュレータ。
【請求項４】
請求項１〜３のいずれか一項に記載のシミュレータにおいて、前記空気柱は、前記垂直飛行チャンバの一つの壁から他方の壁まで完全に層流気流として広がっている、シミュレータ。
【請求項５】
請求項１〜４のいずれか一項に記載のシミュレータにおいて、前記第１の垂直戻りダクトは方形構造の第１の垂直戻りダクトであり、又前記第２の垂直戻りダクトは方形構造の第２の垂直戻りダクトであり、
前記方形構造は更に上端戻りダクトと、下端水平戻りダクトとを有する、シミュレータ。
【請求項６】
請求項１〜５のいずれか一項に記載のシミュレータにおいて、該シミュレータは二つの戻りダクトを有し、各該戻りダクトは、上端戻りダクト（３０）と、第２の垂直戻りダクト（５）と、下端戻りダクト（７）とを有し、
前記循環気流プレナム（２−１０）の第１の垂直部材は、前記方形構造の中央垂直部材である、シミュレータ。
【請求項７】
請求項１〜６のいずれか一項に記載のシミュレータにおいて、前記各戻りダクト内の前記少なくとも一つのファンアセンブリ（３）は複数のファン（４０、４１）を有し、該複数のファン（４０、４１）は、前記各戻りダクトの前記上端戻りダクト（３０）内で水平に取り付けられている、シミュレータ。
【請求項８】
請求項１〜７のいずれか一項に記載のシミュレータにおいて、前記気流プレナムの前記方形構造の前記上端戻りダクト（３０）と、前記第２の垂直部材戻りダクト（５）の各々は、拡大壁セグメントを有し、該拡大壁セグメントにより、層流気流を維持しながら、循環気流の流れを拡大する、シミュレータ。
【請求項９】
請求項１〜８のいずれか一項に記載のシミュレータにおいて、前記ファンアセンブリ（３）の各ファン（４０、４１）は、拡散器として機能するファンケーシング（１３００）内に配置され、ノーズコーン、ファンの中央体及びテールコーンにより覆い隠されたファンの中心領域を考慮に入れた後に、ファンを通る正味の気流領域が気流の分離を生じることなく可能な限り増加する、シミュレータ。
【請求項１０】
請求項１〜９のいずれか一項に記載のシミュレータにおいて、前記気流プレナムの下端戻りダクト（７）が拡大壁セグメントを有する、シミュレータ。
【請求項１１】
請求項１〜１０のいずれか一項に記載のシミュレータにおいて、前記方形構造の頂上部材は、該方形構造の下端部材より１５．２４〜３６ｍだけ上方である、シミュレータ。
【請求項１２】
垂直風洞スカイダイビングシミュレータにおいて、
方形構造を有する循環気流プレナム（２−１０）と、
前記循環気流プレナム（２−１０）の方形構造の第１の垂直戻りダクト（１０、１５０３、１７０１、２２０２）内で、空気柱に収容された少なくとも１人の人間を浮かせることができる垂直飛行チャンバ（１０、１５０３、１７０１、２２０２）と、
一つ又は二つの方形構造の戻りダクトであって、該各戻りダクトは、上端戻りダクト（３０）と、第２の垂直戻りダクト（５）と、下端戻りダクト（７）と、層流を維持しながら空気流を緩やかにする機能を有する拡大壁部（１０；２０、２１、２２）を有する複数の前記戻りダクトとを有し、該戻りダクトは、前記飛行チャンバ（１０、１５０３、１７０１、２２０２）の前方に配置された吸入口収縮器（９）に続く前記戻りダクトと、
単一のリターンダクト（３）内で、横に並んで配置された複数のファン（４０、４１）を有する少なくとも一つのファンアセンブリ（３）と、
前記飛行チャンバ（１０、１５０３、１７０１、２２０２）は、前記少なくとも一つのファンアセンブリ（３）の吸入口側に配置されており、前記少なくとも一つのファンアセンブリ（３）の各々は、複数の拡大リターン空気ダクト（３、５、７）に接続される、垂直風洞スカイダイビングシミュレータ。
【請求項１３】
請求項１２に記載のシミュレータにおいて、
前記上端戻りダクト（３０）の寸法は、垂直方向の方が水平方向よりも短く、
前記下端戻りダクト（７）の寸法は、垂直方向の方が水平方向よりも短い、シミュレータ。
【請求項１４】
請求項１２又は１３に記載のシミュレータにおいて、前記空気柱は、前記垂直飛行チャンバの一つの壁から他方の壁まで完全に層流気流として広がっている、シミュレータ。
【請求項１５】
請求項１２〜１４のいずれか一項に記載のシミュレータにおいて、該シミュレータは一つの戻りダクトを有し、該戻りダクトは、上端戻りダクト（３０）と、第２の垂直戻りダクト（５）と、底部材戻りダクト（７）とを有し、前記第１の垂直戻りダクトは方形構造の第１の垂直戻りダクトであり、又前記第２の垂直戻りダクトは方形構造の第２の垂直戻りダクトであり、
前記方形構造は更に上端戻りダクトと、下端水平戻りダクトとを有する、シミュレータ。
【請求項１６】
請求項１２〜１４のいずれか一項に記載のシミュレータにおいて、該シミュレータは二つの戻りダクトを有し、各該戻りダクトは、上端戻りダクト（３０）と、第２の垂直戻りダクト（５）と、下端戻りダクト（７）とを有し、
前記方形構造は、前記二つのダクトの、上端戻りダクト（３０）と、第２の垂直戻りダクトと、下端戻りダクト（７）とを有し、
前記循環気流プレナム（２−１０）の第１の垂直部材は、前記方形構造の中央垂直部材である、シミュレータ。
【請求項１７】
請求項１２〜１６のいずれか一項に記載のシミュレータにおいて、前記気流プレナムの各上端戻りダクト（３０）、前記第１の垂直戻りダクト（１０、１５０３、１７０１、２２０２）、及び第２の垂直戻りダクト（５）は拡大壁セグメントを有することにより、層流気流を維持しながら、循環気流の流れを拡大する、シミュレータ。
【請求項１８】
請求項１２〜１７のいずれか一項に記載のシミュレータにおいて、各戻りダクトの前記少なくとも一つのファンアセンブリ（３）は、各戻りダクトの前記上端戻りダクト（３０）内で水平に取り付けられている複数のファン（４０、４１）である、シミュレータ。
【請求項１９】
請求項１２〜１８のいずれか一項に記載のシミュレータにおいて、空気吹出口ルーバ（２６０）からの戻りダクトにおいて空気吹出口ルーバ（２６０）の反対側に位置する空気吸入口ルーバ（１２０）を有する温度調整器（１０００）をさらに備え、前記ルーバによって加速ノズルが形成され、それによって低静圧区域を形成して外気を前記空気吸入口へ引き寄せる、シミュレータ。
【請求項２０】
請求項１９に記載のシミュレータにおいて、前記吹出口ルーバ（２６０）は前記ダクト部材内部で上流を向き、前記吸入口ルーバ（１２０）は前記ダクト部材内部で下流を向き、それによって前記加速ノズルを形成する、シミュレータ。
【請求項２１】
請求項１〜２０のいずれか一項に記載のシミュレータにおいて、前記飛行チャンバは機械的安全網および先端セグメント（２６０５）を有する底面をさらに備え、前記先端セグメント（２６０５）は人体センサ（２６００）を有し、前記人体センサ（２６００）は、前記先端セグメント（２６０５）付近を人間が飛行しているのが感知された場合に循環空気の気流を減速するコントローラ（２６０２）に接続する、シミュレータ。
【請求項２２】
請求項２１に記載のシミュレータにおいて、前記コントローラ（２６０２）は、少なくとも１つのファンを減速するように機能するファン制御手段をさらに備える、シミュレータ。
【請求項２３】
請求項２２に記載のシミュレータにおいて、前記ファン制御手段は、少なくとも１つのファンへの電流フローを一時的に削減するために、ファン電力制御モジュールをさらに備える、シミュレータ。
【請求項２４】
請求項１〜２３のいずれか一項に記載のシミュレータにおいて、前記垂直飛行チャンバ（１０、１５０３、１７０１、２２０２）は、マルチチャンバ手段を持つステージング領域（８００、８０２、８０４）をさらに備え、該マルチチャンバ手段は、前記飛行チャンバを通る飛行気流に対して動作可能なように維持しながら、前記垂直飛行チャンバ（１０、１５０３、１７０１、２２０２）からの進入および脱出を可能にするよう機能する、シミュレータ。
【請求項２５】
請求項１〜２４のいずれか一項に記載のシミュレータにおいて、前記飛行チャンバは、その下流下端にデフレクタ（２００、２０３；１５０５、１５０６）を持つ出入用のドア（８０１、８０５）を有する、シミュレータ。
【請求項２６】
請求項１〜２５のいずれか一項に記載のシミュレータにおいて、前記第１の垂直戻りダクト（１０、１５０３、１７０１、２２０２）と第２の垂直部材戻りダクト（５）を更に備え、該第１の垂直戻りダクト（１０、１５０３、１７０１、２２０２）及び第２の垂直部材戻りダクト（５）は、前記飛行チャンバに接続しているそれらのプレナムでＶ形状を形成し、
すべての前記垂直戻りダクトは、前記飛行チャンバの片側における１８０度未満の円弧内にある、飛行シミュレータ。
【請求項２７】
垂直風洞スカイダイビングシミュレータにおいて、
循環気流プレナム（２−１０）と、
垂直飛行チャンバ（１０、１５０３、１７０１、２２０２）において人間飛行用の気流を提供するためのファンアセンブリ（３）であって、前記飛行チャンバ（１０、１５０３、１７０１、２２０２）は、前記ファンアセンブリ（３）の吸入口側に配置されている前記ファンアセンブリ（３）と、を備え、
前記少なくとも一つのファンアセンブリ（３）は、並んで配置された複数のファン（４０、４１）を備え、
前記気流プレナムの一部は前記気流を拡大および減速するために拡大壁（１３０２）をさらに備え、
前記気流プレナムは温度調整器（１０００）をさらに備え、
前記温度調整器（１０００）は前記プレナムの共通セグメント内において、吹出口ルーバ（２６０）とほぼ反対側に取り付けられた吸入口ルーバ（１２０）をさらに備え、前記吹出口ルーバ（２６０）は前記プレナムの前記共通セグメント内において内側および上流を向くドアを有し、前記吸入口ルーバ（１２０）は前記共通セグメント内において内側および下流を向き、
前記ドアは前記プレナムの前記共通セグメントの内部狭窄を形成し、それによって空気を前記吸入口ルーバ（１２０）へ引き込む静圧低下区域（V）を形成する、
垂直風洞スカイダイビングシミュレータ。
【請求項２８】
請求項２７に記載のシミュレータにおいて、前記吹出口ルーバ（２６０）は前記ダクト部材内部で上流を向き、前記吸入口ルーバ（１２０）は前記ダクト部材内部で下流を向き、それによって前記加速ノズルを形成する、シミュレータ。
【手続補正２】
【補正対象書類名】明細書
【補正対象項目名】００５４
【補正方法】変更
【補正の内容】
【００５４】
大部分の先行技術飛行室は、体験飛行者が毎時約１４０マイルの一定風速で飛行演習できるように飛行室内に平行な壁を提供する。シミュレータ１は、エレベーション１１に沿って「高さゼロ」の飛行室を持つ。エレベーション１１は、気流収縮器９と気流拡散器１０を結ぶ線である。ここで、拡散器１０は拡大壁２０、２１、２２を有し、飛行室１０としても機能する。
【手続補正３】
【補正対象書類名】明細書
【補正対象項目名】００５８
【補正方法】変更
【補正の内容】
【００５８】
分流器２、４、６、８は一般に、建設費用の点から拡大壁を供えていない。ファンハウジングセグメント３００およびファンセクション３は拡大壁を備える。上端プレナム３０は拡大壁を備える。垂直循環プレナム５は拡大壁を備える。下端プレナム７は建設費用を考慮して拡大壁を備えていない。下端プレナム７は拡大壁を備えることができる。
【手続補正４】
【補正対象書類名】明細書
【補正対象項目名】００７１
【補正方法】変更
【補正の内容】
【００７１】
次に図１３、１４を参照して、図２のファン４０、４１の好ましい設計を示す。それらは表示の中央線から互いに僅かに離れて方向付けられている。ファン平面Ｐ４１、Ｐ４２は下方に向きが変わり、鋭角Ｐ４３を形成する。ファンカウリング（ファン缶）１３００は、ブレード１３０１の隣のセグメントの後ろに拡大壁１３０２を持つ。通常Ｗ１は２．６２メートル（１０３インチ）、Ｗ２は３．１０メートル（１２２インチ）であってよい。交互のファンは、ファン４１の前面１４９を点線１４９９に移動させることによって２つのファン缶１３００を近くに配置できる。これによって、ファンから２つの空気柱の間の距離を削減し、その結果循環プレナムの長さおよび高さが減少する。ブレード１３０１は前方に進めることができる。
【手続補正５】
【補正対象書類名】明細書
【補正対象項目名】００７３
【補正方法】変更
【補正の内容】
【００７３】
この特定の実施例において、飛行室１５０３は拡大壁ではなく平行壁を持ち、そこに比較的一定の気流を提供する。飛行室１５０３の上には、二重分流器１５０５に接続する拡散器１５０４がある。二重分流器１５０５は、２つの分岐翼１５０７、１５０８を持つ。ファンダクト１５２１はファン４０、４１を支える。上部拡散器１５２０は、表示のとおり分流器２、４に接続する。左および右の垂直循環プレナム５はそれぞれ温度調節システム１０００を備える。